(57)【特許請求の範囲】
【請求項１】
天板と、該天板から下方に垂設され、立設可能にバランスよく配された複数の脚部とからなる机において、前記天板の裏面に沿って収納され、前記複数の脚部のうち隣り合う脚部間の略幅で形成されるガード板と、該ガード板を前記天板の裏面側で回転して垂下するように該ガード板の一辺を軸支する一又は複数の軸部材と、該軸部材を前記天板の裏面側で外側方向又は内側方向に摺動可能に支持する一又は複数のレール部材とからなる机であって、
前記複数の脚部は、該複数の脚部間の隣り合う机側面に沿って屈曲した断面視略Ｌ字型材により構成され、前記垂下して外側方向へ摺動したガード板の両側端を該断面視略Ｌ字型材の内側に収納し、また、前記垂下して外側方向へ摺動したガード板の内側への出戻りを防止する突支棒が設けられることを特徴とする机。
【請求項２】
前記ガード板を一対設け、前記複数の脚部間において対になる机側面をガード可能に形成したことを特徴とする請求項１に記載の机。
【請求項３】
前記複数の脚部は、前記天板から下方に垂設され、立設可能にバランスよく配された四本の第一脚部として構成し、該天板のうち該四本の第一脚部に囲まれた範囲から下方に第二脚部を垂設するとともに、
該四本の第一脚部の一対の対辺及び該対辺を該第二脚部を介して結ぶラインに形成されて夫々の脚底に固設した略Ｈ型の底板と、該底板を床面に固定するための固定手段とを設けてなることを特徴とする請求項１に記載の机。
【請求項４】
前記複数の脚部は、前記天板から下方に垂設され、立設可能にバランスよく配された四本の第一脚部として構成し、該天板のうち該四本の第一脚部に囲まれた範囲から下方に第二脚部を垂設するとともに、
該四本の第一脚部の一対の対辺及び該対辺を該第二脚部を介して結ぶラインに形成されて夫々の脚底に固設した略Ｈ型の底板と、該底板を床面に固定するための固定手段とを設けてなることを特徴とする請求項２に記載の机。
【請求項５】
前記天板内に、両端が屈曲して断面視略コ字型の天板用鋼板が、或いは、該断面視略コ字型の内側に格子状の鋼製梁状部材が着接された天板用鋼板が内蔵されていることを特徴とする請求項１に記載の机。
【発明の詳細な説明】
【技術分野】
【０００１】
本発明は、災害時の安全性に優れた机に関する。
【背景技術】
【０００２】
我が国は、地震の多発地帯であり、かねてより国民への防災教育が行われている。そして、地震発生の際には、我が身を瓦礫や飛散物等から守るため、机の下に身を隠す等の対策を取ることが指導されている。しかしながら、たとえ机の下であっても、落下物や建物の倒壊等によって机が押し潰されたり、机の側面からの飛散物によって致命傷を負ったりする等、従来の机では、地震による瓦礫や飛散物等から十分に身を守ることはできなかった。そんな中、飛散物から身を守ることのできる机として以下のものが開示されている。
【０００３】
すなわち、天板の裏面側に摺動可能に取り付けられた引き出し兼用開口蓋を完全に側面方向に引き出すと、該引き出し兼用開口蓋が９０度回転して机の側面を閉じることにより、地震の揺れによる飛散物から身を守ることのできる緊急避難用机が開示されている（特許文献１）。
【先行技術文献】
【特許文献】
【０００４】
【特許文献１】特開平７−２５０７１３号公報
【発明の概要】
【発明が解決しようとする課題】
【０００５】
しかしながら、特許文献１に記載の技術では、引き出し兼用開口蓋、すなわちガード板を天板の裏面から引き出す際、該ガード板を完全に側面方向に引き出す必要がある。そのため、該ガード板を把持する被災者の腕や手、場合によっては頭部等の身体の一部が机の外部に露出することとなり、飛散物によって該身体の一部を損傷するおそれがあるという問題があった。また、地震の揺れが治まった後、該ガード板を開いて机から避難するに際しては、該ガード板を一端外方向に回転して持ち上げなければならず、該机の外部に瓦礫等がある場合には該ガード板を開くことが困難となる。そのため、速やかに机から避難することができず、地震後の火災等から逃げ遅れることにより、被災者の身をさらに危険に晒すという問題があった。
【０００６】
そこで、本発明は、災害時の安全性に優れた机を提供することを課題とした。
【課題を解決するための手段】
【０００７】
上記課題を解決するために、本発明は次のように構成した。すなわち、本発明に係る請求項１に記載の机は、天板と、該天板から下方に垂設され、立設可能にバランスよく配された複数の脚部とからなる机において、  前記天板の裏面に沿って収納され、前記複数の脚部のうち隣り合う脚部間の略幅で形成されるガード板と、 該ガード板を前記天板の裏面側で回転して垂下するように該ガード板の一辺を軸支する一又は複数の軸部材と、 該軸部材を前記天板の裏面側で外側方向又は内側方向に摺動可能に支持する一又は複数のレール部材とからなる机であって、前記複数の脚部は、該複数の脚部間の隣り合う机側面に沿って屈曲した断面視略Ｌ字型材により構成され、前記垂下して外側方向へ摺動したガード板の両側端を該断面視略Ｌ字型材の内側に収納し、また、前記垂下して外側方向へ摺動したガード板の内側への出戻りを防止する突支棒が設けられることを特徴としている。
【０００８】
また、請求項２に記載の机は、請求項１に記載の構成において、前記ガード板を一対設け、前記複数の脚部間において対になる机側面をガード可能に形成したことを特徴としている。
【０００９】
また、請求項３に記載の机は、請求項１に記載の構成において、前記複数の脚部が、前記天板から下方に垂設され、立設可能にバランスよく配された四本の第一脚部として構成し、該天板のうち該四本の第一脚部に囲まれた範囲から下方に第二脚部を垂設するとともに、該四本の第一脚部の一対の対辺及び該対辺を該第二脚部を介して結ぶラインに形成されて夫々の脚底に固設した略Ｈ型の底板と、該底板を床面に固定するための固定手段とを設けてなることを特徴としている。
【００１０】
また、請求項４に記載の机は、請求項２に記載の構成において、前記複数の脚部が、前記天板から下方に垂設され、立設可能にバランスよく配された四本の第一脚部として構成し、該天板のうち該四本の第一脚部に囲まれた範囲から下方に第二脚部を垂設するとともに、該四本の第一脚部の一対の対辺及び該対辺を該第二脚部を介して結ぶラインに形成されて夫々の脚底に固設した略Ｈ型の底板と、該底板を床面に固定するための固定手段とを設けてなることを特徴としている。
【００１１】
また、請求項５に記載の机は、請求項１に記載の構成において、前記天板内に、両端が屈曲して断面視略コ字型の天板用鋼板が、或いは、該断面視略コ字型の内側に格子状の鋼製梁状部材が着接された天板用鋼板が内蔵されていることを特徴としている。
【発明の効果】
【００１４】
本発明に係る請求項１に記載の机によれば、前記ガード板が天板の裏面に収納されているため通常時においては一般的な机として利用でき、一方、災害発生時には、被災者の身体の一部を机の外部に露出させることなく、また、被災者が机の下に避難した後、該ガード板を該天板の外側から中央近傍方向に回転して垂下させ、かつ、該ガード板を外側方向に摺動させることにより、安全に天板の裏面からガード板を開いて机の側面を閉じることができ、被災者の身を飛散物から守ることができる。また、地震の揺れが治まった後、該ガード板を天板の内側方向へと持ち上げて容易に机の側面を開けることができるため、速やかに机の下から避難することができ、火災等の二次的な被災を回避することができる、といった点に加え、前記ガード板の両側端をＬ字型の脚部の内側に収納し、かつ、前記突支棒がガイド板の内側への出戻りを防止するため、外部からの瓦礫や飛散物による衝撃が被災者に及ぶことがなく、より安全に被災者の身を守ることができる。
【００１５】
また、請求項２に記載の机によれば、前記請求項１に記載の机の効果とともに、前記机の裏面に収納された一対のガード板によって机の両側面を開閉できるため、より安全に被災者の身を守ることができる。
【００１６】
また、請求項３に記載の机によれば、前記請求項１に記載の机の効果に加えて、前記第一脚部及び第二脚部の脚底を結ぶラインに略Ｈ型の底板を設けたことにより、該第一脚部及び第二脚部を補強し、地震の際、瓦礫や飛散物等が落下又は飛来した場合に、該瓦礫や飛散物の衝撃によって前記夫々の脚部から机が倒壊するのを防止することができ、また、前記底板を床面に固定することにより、地震の揺れによって机が移動することもないため、さらに安全に被災者の身を守ることができる。

【００１７】
また、請求項４に記載の机によれば、前記請求項２に記載の机の効果に加えて、前記第一脚部及び第二脚部の脚底を結ぶラインに略Ｈ型の底板を設けたことにより、該第一脚部及び第二脚部を補強し、地震の際、瓦礫や飛散物等が落下又は飛来した場合に、該瓦礫や飛散物の衝撃によって前記夫々の脚部から机が倒壊するのを防止することができ、また、前記底板を床面に固定することにより、地震の揺れによって机が移動することもないため、さらに安全に被災者の身を守ることができる。

【００１８】
また、請求項５に記載の机によれば、前記請求項１に記載の机の効果に加えて、
前記天板に、両端が屈曲して断面視略コ字型の天板用鋼板が、或いは、該断面視略コ字型の内側に格子状の鋼製梁状部材が着接された天板用鋼板が内蔵されていることにより、机側面のみならず机上方からの瓦礫や飛散物、又は落下物等からも安全に被災者の身を守ることができる。

【図面の簡単な説明】
【００２１】
【図１】本発明に係る机を示す斜視図である。
【図２】該机を示す斜視図である。
【図３】該机を示すＡ−Ａ断面図である。
【図４】該机に係る軸部材及びレール部材を示す拡大断面図である。
【図５】該机を示すＢ−Ｂ断面図である。
【図６】該机に係るガード板の机側面への移動を示すＢ−Ｂ断面図である。
【図７】該机を示す斜視図である。
【図８】該机で用いる突支棒を示す図である。
【図９】該の机骨組みを示す斜視図である。
【図１０】該机の構造を示すＣ−Ｃ断面図である。
【図１１】本発明に係る他の実施例の机を示す斜視図である。
【図１２】該他の実施例の机を示す斜視図である。
【図１３】該他の実施例の机を示すＤ−Ｄ断面図である。
【図１４】該他の実施例の机を示す斜視図である。
【発明を実施するための形態】
【００２２】
以下、図面に基づいて本発明を具体的に説明する。まず、図１は、本発明に係る机１０を示す斜視図であり、図２は、該机１０の下斜め方向から視た斜視図である。なお、本実施例では、最も一般的な机１０の形状として、四角形状の天板１１と四本の第一脚部１２を有する机１０を用いて本発明に係る机１０を説明する。
【００２３】
該机１０は、四角形状の板状からなる天板１１と、該天板１１の隅部近傍から下方に垂設された四本の第一脚部１２と、前記天板１１の中央近傍から下方に垂設された第二脚部１３とを設け、また、前記天板１１の裏面には、前記第一脚１２間の長手方向の略幅で形成された一対のガード板１４が収納されて構成されている。さらに、前記第二脚部１３と前記第一脚部１２の脚底を結ぶラインに略Ｈ型の底板１５と、具体的には図示しないが、該底板１５と床面とを固定するための固定手段が設けられている。
【００２４】
前記四本の第一脚部１２は、Ｌ字型材により構成され、かつ、該隣り合う第一脚部１２の間の辺に該Ｌ字型の屈曲した各面が沿うように、前記天板１１の隅部近傍から下方に垂設されている。
【００２５】
また、前記第二脚部１３は、前記天板１１のうち前記四本の第一脚部１２に囲まれた範囲であって、本実施例では、該天板１１の中央から下方に垂設されている。該第二脚部１３の形状は、特に限定されるものではなく、本実施例では、断面正方形の筒状に形成されている。
【００２６】
ここで、該机１０に係る第一脚部１２の本数は、本実施例のように四本に限られるものではなく、三本以上の第一脚部１２で構成してもよく、また、例えば、室内の壁面から水平方向に四角形状の天板１１を突出させ、該天板１１の突出方向先端の隅部近傍から二本の第一脚部１２を下方に垂設してもよい。すなわち、複数の第一脚部１２が配されることによって該机１０がバランスよく立設可能に構成できれば、第一脚部１２の本数は限定されるものではない。
【００２７】
また、該机１０に係る天板１１の形状も本実施例のように四角形状に限られるものではなく、例えば、前記のように第一脚部１２を三本とする机１０を形成する場合には、該天板１１の形状を三角形状に形成して第一脚部１２の本数に対応させてもよく、また、その他多角形状、円形状又は楕円形状等、種々の変更が可能である。
【００２８】
図３は、該机１０を示すＡ−Ａ断面図である。該夫々のガード板１４は、その一辺が前記天板１１の裏面中央近傍で回転可能となるように、該ガード板１４の一辺両端で軸部材１６により軸支されているとともに、該軸部材１６が、該ガード板１４を外側方向又は内側方向に摺動可能に支持するレール部材１７によって支持されている。具体的には、図４の拡大断面図に示すように、該レール部材１７は、図示した机１０の短手方向側面に設けた両側幕板１８の内側側面で、前記ガード板１４の両側に設けられた軸部材１６と係合するように設けられている。
【００２９】
このように前記天板１１の裏面に収納されたガード板１４は、机１０の下に避難した被災者が該机１０の裏面外側から内側方向へ回転して垂下させ、その後、前記軸部材１６を前記レール部材１７に沿って摺動させることにより、該机１０の側面方向に移動させることができる。該ガード板１４の移動手順の詳細は、以下で図５乃至図７を用いて説明する。なお、図２に示したように、該机１０の下に避難した被災者が該ガード板１４を垂下させる際、取っ手となる把持部１４ａが該ガード板１４の下面に設けられている。また、該軸部材１６は、本実施例では、該ガード板１４の軸側の一辺両端に設けられているが、該一辺の中央等に一の軸部材１６を設けるのみでもよく、また、複数設けることも可能である。
【００３０】
図５は、該机１０を示すＢ−Ｂ断面図である。前記ガード板１４は、該机１０の天板１１の裏面に沿って収納され、特に図示はしないが、該収納時において天板１１の裏面にラッチ等で係り留めされている。なた、該ガード板１４は、前記把持部１４ａを把持して該係り留めを解除することにより、天板１１の裏面から垂下できるように構成されている。なお、該係り留めは、磁石等によるもの等、係り留めし、かつ、該係り留めを解除できればどのような構成であってもよい。
【００３１】
図６は、該ガード板１４の机側面への移動手順を示すＢ−Ｂ断面図である。まず、前記図５に示すガード板１４の状態から前記係り留めを解除し、前記天板１１の裏面中央近傍で軸支された軸部材１６を軸として、該ガード板１４を外側方向から内側方向へと回転させながら垂下する（図６に示す（ａ）の状態。）。次に、該垂下したガード板１４を、前記幕板１８内側のレール部材１７に支持された軸部材１６を摺動させながら、机１０の側面方向（外側方向）へと移動させる（図６に示す（ｂ）の状態）。そして、図７にも示すように、該ガード板１４を前記第一脚部１２に当接させるまで、該机１０の側面に移動させる（図６に示す（ｃ）の状態）。
【００３２】
ここで、前記ガード板１４が第一脚部１２間に垂下すると、該ガード板１４の両側端が前記Ｌ字型材からなる第一脚部１２に当接して収納される。これにより、該ガード板１４が該机１０の第一脚部１２間から外方向に必要以上に開くのを防止することができる。
【００３３】
なお、該ガード板１４は、本実施例のように、一対で構成してもよいし、前記机１０の種々の態様に応じて、一枚或いは三枚以上で構成することもできる。
【００３４】
このように、災害時等には、前記ガード板１４を机１０の側面に移動させることにより、瓦礫や飛散物から被災者の身を守ることができる。そして、例えば、地震等の揺れが治まった際には、被災者は、該ガード板１４を前記手順とは逆に前記天板１１の裏面に収納し、机１０の側面を開放した上で、該側面から避難することができる。このように該ガード板１４を内側方向に移動させてから机１０の側面を開放できるため、瓦礫等に該開放を阻害されず、被災者は、速やかに避難することができ、火災等の二次災害の被災を回避することができる。なお、被災者の避難時には、該ガード板１４を完全に天板１１の裏面に収納する必要もなく、被災者が避難可能な程度に机１０の側面を開放できればよい。
【００３５】
前記底板１５は、前記四本の第一脚部１２のうち、該机１０の短手方向の一対の対辺及び該対辺を前記第二脚部１３を介して結ぶラインに略Ｈ型に形成され、該四本の第一脚部１２及び第二脚部１３の夫々の脚底を結ぶように固設されている。また、該底板１５には、具体的には図示しないが、該底板１５を床面に固定するための固定手段が設けられている。なお、該固定手段は、例えば、ねじ留や釘打ち等、該底板１５を床面に固定できればどのような方法であってもよい。
【００３６】
このように、該略Ｈ型の底板１５を設けたことにより、前記第一脚部１２及び第二脚部１３を補強し、地震の際、瓦礫や飛散物等が落下又は飛来した場合に、該瓦礫や飛散物の衝撃によって前記夫々の脚部から机が倒壊するのを防止することができ、また、該底板１５を固定手段により床面に固定することにより、地震の揺れによって机が移動することもないため、さらにより安全に被災者の身を守ることができる。
【００３７】
図８は、該机１０に係る突支棒１９を示す斜視図である。該突支棒１９は、その両端で前記一対のガード板１４の内側面を橋架するように突支棒係合部１９ａに嵌合されて外方向に押圧し、前記ガード板１４が内側へと出戻るのを抑制するため設けられる。
【００３８】
該突支棒１９を設けたことにより、瓦礫や飛散物等がガード板１４を内側に押しやって机１０内に侵入したり、該ガード板１４が勢いよく内側に出戻ったりするのを防止することができ、より安全に被災者の身を守ることができる。また、被災者が避難する際には、該突支棒１９を取り外した後、該ガード板１０４を内側に開けばよいので、該突支棒１９を設けても速やかに避難することができる。
【００３９】
なお、このような突支棒１９の外方向への押圧によっても、該ガード板１４の両側端がＬ字型の第一脚部１２に当接するため、該ガイド板１４が該机１０よりも外側に出ることはない。
【００４０】
なお、該突支棒１９は、一又は複数本設けてもよく、また、一方のガード板１４と机１０直下の床面との間に設けることにより、該ガード板１４の内側への出戻りを抑えてもよい。
【００４１】
次に、図９及び図１０を用いて、本発明に係る机１０の骨組み２０について説明する。図９は、該机１０の骨組み２０を示す斜視図であり、図１０は、該机１０を示すＣ−Ｃ断面図である。該骨組み２０は、前記机１０を補強すべく地震等の揺れにも耐え得る鋼材で形成されている。図示の通り、該骨組み２０は、前記天板１１の裏面を前記第一脚部１２及び第二脚部１３の上端で支持する天板支持部２１と、前記第一脚部１２内の第一脚部用骨部２２と、前記第二脚部１３内の第二脚部用骨部２３から構成されている。なお、図中の底板１５は、図示の便宜上表示したものであるが、該底板１５も地震等の揺れに耐え得るべく、鋼材で形成されている。
【００４２】
該天板支持部２１は、前記第一脚部用骨部２２の各上端に前記天板１１を載置可能な鋼材で形成され、該天板１１を裏面から載置して固定する。該天板支持部２１は、特に前記第一脚部骨部２２の上端に限られるものではなく、格子状にして天板１１の裏面全体を支持するように設けてもよい。
【００４３】
また、前記第一脚部用骨部２２は、Ｌ字型の鋼材で形成され、該第一脚部用骨部２２は、前記複数の第一脚部１２と同様に、該隣り合う第一脚部１２の間の机１側面に該Ｌ字型の屈曲した各面が沿うように前記格子状の天板支持部２１の四隅から下方に垂設されている。なお、該Ｌ字型の第一脚部用骨部２１は、一枚の鋼板をＬ字型に屈曲させて形成してもよいし、二枚の平板状を組み合わせてＬ字型に形成してもよい。
【００４４】
また、前記第二脚部用骨部２３は、第二脚部１３の形状に合わせた鋼材で、前記天板支持部２１の中央から下方に垂設されて形成されている。
【００４５】
図１０に示すように、前記第一脚部１２及び第二脚部１３は、夫々前記第一脚部用骨部２１及び第二脚部用骨部２２を骨格とし、該第一脚部用骨部２１及び第二脚部用骨部２２の表面に木材等の化粧材を被覆することによって形成されている。
【００４６】
さらに、前記天板１１の内部には、断面視略コ字型の天板用鋼板２４が内蔵されている。このように両端を屈曲させて断面視略コ字型に形成した天板用鋼板２４を該天板１１に内蔵させることにより、瓦礫、飛散物や落下物等からの衝撃に対して該机１０の強度を向上させることができる。また、該天板用鋼板２４は、図示しないが、断面視略コ字型の内側に格子状の鋼製梁状部材を溶接等により着接して補強してもよい。なお、該天板用鋼板２４が内蔵された天板１１が、前記天板支持部２１に上面に載置して固定される。
【００４７】
このように該天板用鋼板２４を含む骨組み２０を構成することにより、本発明に係る机１０の強度をさらに向上させることができ、より安全に被災者の身を守ることができる。
【００４８】
次に、本発明に係る他の実施例の机１００について図１１〜図１４を用いて説明する。
【００４９】
図１１は、本発明に係る他の実施例の机１００を示す斜視図であり、図１２は、該机１００の下斜め方向から視た斜視図である。該机１００は、四角形状の板状からなる天板１０１と、該天板１０１の隅部近傍から下方に垂設された四本の第一脚部１０２と、前記天板１０１の中央近傍から下方に垂設された第二脚部１０３とを設け、また、前記天板１０１の裏面には、前記第一脚部１０２の一対の対辺を軸として前記天板の短手方向中央近傍から観音開き状に開いて垂下する一対のガード板１０４が収納されている。さらに、前記第二脚部１０３と前記第一脚部１０２の脚底を結ぶラインに略Ｈ型の底板１０５と、具体的には図示しないが、該底板１０５と床面とを固定するための固定手段が設けられている。
【００５０】
前記四本の第一脚部１０２及び前記第二脚部１０３等の説明は、前記実施例の構成と同様であるため詳細な説明は省略し、ガード板１０４及び該ガード板１０４の机１００側面への垂下構造について詳細に説明する。
【００５１】
前記ガード板１０４は、前記四本の第一脚部１０２のうち隣り合う該第一脚部１０２間の長手方向の一対の対辺を軸として前記天板１０１の短手方向中央近傍から観音開き状に開いて垂下可能に設けられている。該ガード板１０４は、通常時においては、前記天板１０１の裏面で幕板１０６に囲まれた空間に収納されている。そして、災害時等には、該ガード板１０４は、前記複数の脚部間の一対の対辺を軸として前記天板の中央近傍から観音開き状に回転して開き、前記第一脚部１０２間に垂下される。
【００５２】
なお、該ガード板１０４は、該他の実施例のように、一対の二枚を観音開き状に構成してもよいし、前記机１００の種々の態様に応じて、一枚或いは三枚以上で構成することもできる。
【００５３】
また、図１２に示すように、該ガード板１０４の外側の面には、該ガード板１０４を垂下させる際、或いは、前記天板１０１の裏面に収納する際に取っ手となる把持部１０４ａが夫々形成されている。なお、特に図示はしないが、該把持部１０４ａは、該ガード板１０４の内側の面にも設けて該ガード板１０４を机１００の内側から収納容易に構成してもよい。
【００５４】
このように前記ガード板１０４が第一脚部１０２間に垂下すると、該ガード板１０４の両側端が前記Ｌ字型材からなる第一脚部１０２に当接して収納される。これにより、該ガード板１０４が該机１００の第一脚部１０２間から外方向に必要以上に開くのを防止することができる。
【００５５】
このように、災害時等には、瓦礫や飛散物から被災者の身を守るべく該ガード板１０４を垂下させればよい。そして、例えば、地震等の揺れが治まった際には、被災者は、該ガード板１０４を内側に回転させて前記天板１０１の裏面に収納し、机１００の側面を開放した上で、該側面から避難することができる。このように該ガード板１０４を内側に回転させて机１００の側面を開放できるため、瓦礫等に該開放を阻害されず、被災者は、速やかに避難することができ、火災等の二次災害の被災を回避することができる。
【００５６】
図１３は、該机１００のＤ−Ｄ断面図であり、前記一対のガード板１０４が回転しながら開いて垂下する状況を示す図である。上記の通り、該ガード板１０４は、前記天板１０１の中央近傍から回転して開き、前記第一脚部１０２間に垂下する。該一対のガード板１０４は、その一辺が前記一対の対辺を軸としてヒンジ部１０４ｂにより固定され、回転可能に設けられている。また、該ガード板１０４は、机１００の裏面への収納時の際、ラッチ等の係留部１０４ｃを用いて天板１０１の裏面に着脱容易に留められる。なお、当該ガード板１０４の回転手段は、ヒンジ部１０４ｂによる回転に限られず、どのような手段を用いて回転させ、垂下させてもよい。また、前記係留部１０４ｃは、該ガード板１０４を係留できれば、例えば、磁石で磁着させる等、その他どのような構成であってよい。
【００５７】
このように、ガード板１０４が机１００の側面を覆って閉じることによっても、被災者は、地震等による瓦礫や飛散物から身を守ることができる。また、被災者が避難する際には、該ガード板１０４を内側に回転させ、前記天板１０１の裏面に収納すればよい。なお、被災者の避難時には、該ガード板１０４を完全に天板１０１の裏面に収納する必要もなく、被災者が避難可能な程度に机１００の側面を開放できればよい。
【００５８】
また、図１４は、該他の実施例の机１００を示す斜視図である。突支棒１０７は、前記実施例と同様に設けてもよく、その両端がガード板１０４に設けられた突支棒係合部１０７ａに嵌合されて該ガード板１０４ａの内側面に橋架される。
【産業上の利用可能性】
【００５９】
本発明に係る実施例の机１０と他の実施例の机１００の各構成を組み合わせた構造の机としてもよく、また、前記机１０又は机１００に限らず、天板１１、１０１に複数の脚部又は第一脚部１０２を有して立設可能なものであれば、どのようなものであっても応用可能である。
【符号の説明】
【００６０】
１０    机
１１    天板
１２    第一脚部
１３    第二脚部
１４    ガード板
１４ａ  把持部
１５    底板
１６    軸部材
１７    レール部材
１８    幕板
１９    突支棒
１９ａ  突支棒係合部
２０    骨組み
２１    天板支持部
２２    第一脚部用骨部
２３    第二脚部用骨部
２４    天板用鋼板
１００    机
１０１    天板
１０２    第一脚部
１０３    第二脚部
１０４    ガード板
１０４ａ  把持部
１０４ｂ  ヒンジ部
１０４ｃ  係留部
１０６    幕板
１０７    突支棒
１０７ａ  突支棒係合部
【図１】
0006514954.tif 000002
【図２】
0006514954.tif 000003
【図３】
0006514954.tif 000004
【図４】
0006514954.tif 000005
【図５】
0006514954.tif 000006
【図６】
0006514954.tif 000007
【図７】
0006514954.tif 000008
【図８】
0006514954.tif 000009
【図９】
0006514954.tif 000010
【図１０】
0006514954.tif 000011
【図１１】
0006514954.tif 000012
【図１２】
0006514954.tif 000013
【図１３】
0006514954.tif 000014
【図１４】
0006514954.tif 000015